(57)【要約】浄化器を通過する空気からＮＯ（一酸化窒素）を排除するための浄化器であって、少なくとも１つのインレット孔（２）と１つのアウトレット孔（４）、および濾過部材（６）を有するハウジング（１）を備える。第２のアウトレット孔（９）が、第１のアウトレット孔（４）および各インレット孔（２）から距離を隔てた位置に配設され、これにより、インレット孔（２）から入った空気が第１のアウトレット孔（４）に至るまでに通過する濾過部材の深さに実質的に相当する深さの濾過部材を、第２のアウトレット孔（９）から入った空気が少なくとも通過する。
2005538846.tif 000002
【特許請求の範囲】
【請求項１】
浄化器を通過する空気からある成分を排除するための浄化器であって、
少なくとも１つのインレット孔（２）と１つのアウトレット孔（４）、および濾過部材（６）を有するハウジング（１）を備え、
第２のアウトレット孔（９）が、第１のアウトレット孔（４）および各インレット孔（２）から距離を隔てた位置に配設され、これにより、インレット孔（２）から入った空気が第１のアウトレット孔（４）に至るまでに通過する濾過部材の深さに実質的に相当する深さの濾過部材を、第２のアウトレット孔（９）から入った空気が少なくとも通過することを特徴とする浄化器。
【請求項２】
請求項１に記載の浄化器であって、
第２のアウトレット孔（９）は、第１のアウトレット孔（４）より少量の空気が流れるように設計されたものであることを特徴とする浄化器。
【請求項３】
請求項１または２に記載の浄化器であって、
複数のインレット孔（２）が、第１のアウトレット孔（４）を含む端面（５）に対向するハウジング（１）の端面（３）に設けられたことを特徴とする浄化器。
【請求項４】
請求項１、２または３に記載の浄化器であって、
第２のアウトレット孔（９）は、２つの端面（３，５）の間のハウジング（１）の壁（８）に設けられたことを特徴とする浄化器。
【請求項５】
請求項１〜４のいずれか一に記載の浄化器であって、
第１のアウトレット孔（４）に流れる空気が濾過材料（６）を通過する深さに実質的に相当する深さの濾過部材を、空気が少なくとも通過するように、第１のアウトレット孔（４）を含む端面（５）において、第２のアウトレット孔（９）付近にはインレット孔を設けないことを特徴とする浄化器。
【請求項６】
請求項１〜５のいずれか一に記載の浄化器であって、
逆止弁（１１）が第１のアウトレット（４）内に設けられたことを特徴とする浄化器。
【請求項７】
請求項１〜６のいずれか一に記載の浄化器であって、
浄化器は、ＮＯ（一酸化窒素）を除去するためのものであることを特徴とする浄化器。
【請求項８】
請求項７に記載の浄化器であって、
濾過材料（６）は、過マンガン酸カリウムＫＭｎＯ４、または適当なグレードの粒状カーボンと混合させた過マンガン酸カリウムであることを特徴とする浄化器。
【請求項９】
請求項７または８に記載の浄化器であって、
浄化器は、５ｐｐｂ未満のレベルまでＮＯ（一酸化窒素）を排除することを特徴とする浄化器。
【請求項１０】
請求項１〜９のいずれか一に記載の浄化器であって、
濾過材料（６）の粒子が浄化器から流出するのを防止するために、粒子フィルタ（７）が、少なくともインレット孔（２）および第１および第２のアウトレット孔（４，９）においてハウジング（１）内に設けられていることを特徴とする浄化器。
【請求項１１】
請求項１〜９のいずれか一に記載の浄化器であって、
第１のアウトレット孔（４）の空気の流速が約１〜１０リットル／毎秒であり、第２のアウトレット孔９の空気の流速が約０．５〜５０ミリリットル／毎秒であることを特徴とする浄化器。
【請求項１２】
請求項１〜９のいずれか一に記載の浄化器であって、
濾過部材の粒子サイズは、１／８〜１／１２８インチであり、好適には、１／３２〜１／６４インチであることを特徴とする浄化器。
【発明の詳細な説明】
【技術分野】
【０００１】
本発明は、浄化器を通過する空気からある成分を排除するための浄化器に関する。
【背景技術】
【０００２】
既知の浄化器は、少なくとも１つのインレット孔と１つのアウトレット孔を有し、濾過部材を有するハウジングを備える。とりわけ呼気などの空気または任意のガス混合物の中の窒素酸化物のレベルを測定するための装置などにおいて、例えば検定するために、ＮＯ（一酸化窒素）が存在しない空気を必要とする場合、浄化器が任意の装置に用いられる。この場合、空気中から一酸化窒素を取り除くために、被験者は、浄化器を介して空気を吐く。空気の流速は、約１〜１０リットル／秒である。
【０００３】
好適には、この装置のインレット（入口）／アウトレット（出口）の間に逆止弁を配置し、被験者は空気を吸って吐くが、呼気は浄化器を通過せず、装置の検出部品に至る。
【０００４】
この装置の検出部品のために、ゼロ標準空気を採取するか、機能的に制御するとき、例えば、ＮＯ（一酸化窒素）が含まれない微小量の成分フリー（非含有）の空気を用いて、浄化器のアウトレットと逆止弁の間で収集される。これに関する１つの問題点は、ゼロ標準空気が逆止弁を逆方向に流れる漏れ空気と混ざり得る点にある。これにより、ゼロ標準空気の測定の正確性が損なわれてしまう。
【０００５】
これは、空気からある成分を除去する任意の装置において当てはまる。したがって、本発明の目的は、ゼロ標準空気が実際に浄化器から流れ、被験者からの吐き出された成分フリーの空気と同一のものであることを確実にする浄化器を提供することにある。
【０００６】
この目的は、クレーム１に記載の浄化器により達成される。
【０００７】
この解決手段による利点は、逆止弁が漏れたり、破損したりした場合でも、濾過部材の深さが空気を浄化する上で依然として十分に大きく、システムを安全に作動させることができる点にある。これにより、少量の空気を処理するために必要な電気制御バルブの代わりに、多量の空気を処理するのに適したより安価な一般的な機械的バルブを逆止弁として用いることができるというさらなる利点が得られる。
【０００８】
既知の浄化器の別の問題点は、アウトレットが少量の空気のために設計された場合、大容量の空気の「デッドスペース」がアウトレットに形成され、空気がこの空間に停滞し、ゼロ標準空気または機能制御フローは、空気が浄化器を介して流れることを確かめるまでに、長時間待機しなければならない。
【０００９】
本発明の実施形態によれば、この第２のアウトレットは、第１のアウトレットより小さく、第２のアウトレットにおける「デッドスペース」は極力抑えられ、ゼロ標準空気を安全に記録できるように、より少量の空気を浄化器とシステムに通過させる極めて有効なシステムを構築することができる。好適には、浄化器は、空気からＮＯ（一酸化窒素）を取り除く。
【００１０】
既知のＮＯ−浄化器は、ＮＯを除去するためのカーボンフィルタを有する。しかし、これらの浄化器は、長時間使用には適当ではない。これらの浄化器は、通常存在し得る大気の湿度レベルに曝された場合、ＮＯを除去する能力がすぐさま損なわれる。また別の欠点は、都会環境下の一般的な濃度の多量の空気からＮＯを除去可能にするためには、浄化器は大型のものでなければならない。
【００１１】
したがって、本発明の目的は、長期間の使用に適した少量の浄化器を提供することにある。これを解決するために、浄化器は、過マンガン酸カリウムＫＭｎＯ４、または適当なグレードの粒状カーボンと混合させた過マンガン酸カリウムを有する。この材料の利点は、ＮＯと結合し、二酸化マンガンを形成する点にある。これにより、乾燥した環境以上に、湿気の多い環境での除去機能を維持することができる。
【発明を実施するための最良の形態】
【００１２】
図示された実施形態の浄化器を参照しながら、本発明を説明する。
本発明の浄化器は、少なくとも１つのインレット孔２、図示した実施形態では端面３全体に広がった複数の微小インレット孔２と、インレット端面３に対向する端面５に設けられた第１のアウトレット孔４とを有するハウジング１を備える。ハウジング１の内部には、濾過部材６が収容されている。
【００１３】
濾過材料６の粒子がインレット孔２および第１のアウトレット孔４から流出するのを防ぐために、ハウジング１と濾過部材６の間のインレット孔２および第１のアウトレット孔４に粒子フィルタ７が設けられている。
【００１４】
図示された実施形態の浄化器は、２つの端面３，５の間に円筒状壁８を有するが、当然に、他の形状も想到される。壁８には第２のアウトレット孔９が設けられる。同様に、濾過材料６の粒子が第２のアウトレット孔９から流出するのを防ぐために、この孔９は、内部の粒子フィルタ７から保護されている。図示された実施形態において、インレット孔２から濾過部材６を介して第２のアウトレット孔９に流れる空気は、チャンネル１０を通る。
【００１５】
第１のアウトレット孔４は、空気の流速が約１〜１０リットル／毎秒となるように設計され、第２のアウトレット孔９は、空気の流速が約０．５〜５０ミリリットル／毎秒となるように設計される。第２のアウトレット孔９から流出する空気を、確実に、十分な深さの濾過部材６を通過させるために、第２のアウトレット孔９に隣接したインレット端面３にはインレット孔が全く形成されない。こうして空気は、例えば、空気がインレット孔２と第１のアウトレット孔４の間を通過したときの深さに実質的に相当する深さ（距離）を少なくとも通過することになり、例えば、ＮＯ（一酸化窒素）の成分を空気から確実に除去することができる。
【００１６】
空気がインレット孔２から第２のアウトレット孔９へ流れ、第１のアウトレット孔４から第２のアウトレット孔９へ流れないようにするためには、逆止弁１１を第１のアウトレット孔４または第１のアウトレット孔４の外側にある延長部に設けてもよい。
【００１７】
逆止弁１１で漏れる場合の安全策として、第２のアウトレット孔９を第１のアウトレット孔４から離して配置する必要がある。こうして空気は、濾過部材６内をある深さ、空気がインレット孔２と第１のアウトレット孔４の間を通過したときの深さに実質的に相当する深さ（距離）を少なくとも通過することになり、例えば、ＮＯ（一酸化窒素）の成分を空気から確実に除去することができる。
【００１８】
除去すべき成分がＮＯ（一酸化窒素）である場合には、濾過部材６は、好適には、過マンガン酸カリウムＫＭｎＯ４、または適当なグレードの粒状カーボンと混合させた過マンガン酸カリウムである。粒子サイズは、１／８〜１／１２８インチであってもよく、好適には、１／３２〜１／６４インチである。通常の都会環境において、浄化器のアウトレット孔４，９のいずれかから流出する空気は、５ｐｐｂ未満のＮＯ（一酸化窒素）を含むことが好ましい。
【図面の簡単な説明】
【００１９】
【図１】本発明にかかる浄化器の実施形態の断面図である。
【図２】図１に示す浄化器の複数のインレット孔を含む一方の端面を示す。
【図３】図１に示す浄化器の斜視図である。
【符号の説明】
【００２０】
１  ハウジング、２  インレット孔、３  インレット端面、４  第１のアウトレット孔、５  アウトレット端面、６  濾過部材、７  粒子フィルタ、８  円筒状壁、９  第２のアウトレット孔、１０  チャンネル、１１  逆止弁。
【図１】
2005538846.tif 000003
【図２】
2005538846.tif 000004
【図３】
2005538846.tif 000005
【国際調査報告】
2005538846.tif 000006
2005538846.tif 000007
2005538846.tif 000008